(57)【要約】      （修正有）【課題】性能の低下を抑制できるプロジェクターを提供する。【解決手段】プロジェクターは、スピーカー４と、スピーカー４を支持する支持機構５とを備える。支持機構５は、支持部材５１と、支持部材５１よりも柔らかく、支持部材５１とスピーカー４の少なくとも一部との間で挟持される狭装部材５２とを有する。【選択図】図４
2012215748.tif 000002
【特許請求の範囲】
【請求項１】
スピーカーと、
前記スピーカーを支持する支持機構と、を備え、
前記支持機構は、支持部材と、前記支持部材よりも柔らかく、前記支持部材と前記スピーカーの少なくとも一部との間で挟持される狭装部材とを有するプロジェクター。
【請求項２】
前記支持部材は、第１支持部と、前記第１支持部の少なくとも一部と間隙を介して対向して配置される第２支持部とを含み、
前記スピーカーのフレーム部の少なくとも一部が、前記間隙に配置され、
前記狭装部材が、前記第１支持部と前記フレーム部との間及び前記第２支持部と前記フレーム部との間に配置され、
前記第１支持部と前記第２支持部とが、前記狭装部材及び前記フレーム部を挟持する請求項１に記載のプロジェクター。
【請求項３】
前記フレーム部は、プレート形状であり、
前記フレーム部の表面とほぼ平行な面内において、前記第１支持部と前記第２支持部とは水平方向にずれた位置に配置される請求項２に記載のプロジェクター。
【請求項４】
前記支持部材は、前記狭装部材を介して前記第１支持部と前記第２支持部とが配置される方向とは略垂直な方向に前記スピーカーのマグネット部を支持する第３支持部を含む請求項２又は３に記載のプロジェクター。
【請求項５】
前記支持部材は、前記スピーカーを包囲する請求項１〜４のいずれか一項に記載のプロジェクター。
【発明の詳細な説明】
【技術分野】
【０００１】
本発明は、プロジェクターに関する。
【背景技術】
【０００２】
従来、光源から射出された光束を画像情報に応じて変調して投影するプロジェクターにおいて、投影された画像に応じた音声を出力するためのスピーカーが内蔵された構成が知られている。（例えば、特許文献１参照）。このようなプロジェクターでは、スクリーン等に拡大投射した投影画像に応じた音声を出力するためのスピーカーが内蔵された構成が一般的である。より具体的に、スピーカーは、プロジェクターを構成する外装ケースの内側に直接、固定され、外装筺体に形成されたスピーカー孔を介して該スピーカーからの音声を出力する構成とされている。
【先行技術文献】
【特許文献】
【０００３】
【特許文献１】特開２００６−２４３３６１号公報
【発明の概要】
【発明が解決しようとする課題】
【０００４】
しかしながら、従来のプロジェクターでは、スピーカーが外装ケースの内側に直接、ネジなどの締結部材で固定されているため、例えばスピーカーの作動時には、スピーカーの振動が外装ケースを介して投射光学系に伝わることにより、投影される画像に揺らぎが発生したり、振動による騒音が発生したりする等、プロジェクターの性能が低下する可能性がある。
【０００５】
本発明の態様は、性能の低下を抑制できるプロジェクターを提供することを目的とする。
【課題を解決するための手段】
【０００６】
本発明の一態様に従えば、スピーカーと、前記スピーカーを支持する支持機構と、を備え、前記支持機構は、支持部材と、前記支持部材よりも柔らかく、前記支持部材と前記スピーカーの少なくとも一部との間で挟持される狭装部材とを有するプロジェクターが提供される。
【０００７】
本発明の一態様によれば、支持部材とスピーカーの少なくとも一部との間に、支持部材よりも柔らかい挟装部材を挟持するため、例えばスピーカーが作動し、振動が発生しても、そのスピーカーの振動が支持部材に伝わることが抑制される。そのため、スピーカーの振動が、例えば投射光学系及び画像形成系の一方又は両方を指示する支持部材（外装ケース）を介して投射光学系に伝わることが抑制されるので、投影される画像に揺らぎが発生することを抑制できる。また、振動による騒音の発生を抑制できる。したがって、プロジェクターの性能の低下を抑制できる。
【０００８】
前記支持部材は、第１支持部と、前記第１支持部の少なくとも一部と間隙を介して対向して配置される第２支持部とを含み、前記スピーカーのフレーム部の少なくとも一部が、前記間隙に配置され、前記狭装部材が、前記第１支持部と前記フレーム部との間及び前記第２支持部と前記フレーム部との間に配置され、前記第１支持部と前記第２支持部とが、前記狭装部材及び前記フレーム部を挟持する構成でもよい。これにより、狭装部材は、第１支持部とスピーカーのフレーム部との間、及び第２支持部とスピーカーのフレーム部との間に安定的に配置される。また、例えばネジ等、機械的な固定部材を用いなくても、狭装部材が安定的に配置される。
【０００９】
前記フレーム部は、プレート形状であり、前記フレーム部の表面とほぼ平行な面内において、前記第１支持部と前記第２支持部とは水平方向にずれた位置に配置される構成でもよい。これにより、第１支持部及び第２支持部のそれぞれが狭装部材を狭持する位置がずれるので、狭装部材の全体に圧縮させる力をかけることができる。したがって、狭装部材を安定して狭持することができる。
【００１０】
前記支持部材は、前記狭装部材を介して前記第１支持部と前記第２支持部が配置される方向とは略垂直な方向に前記スピーカーのマグネット部を支持する第３支持部を含む構成でもよい。これにより、スピーカーのうち最も重量の大きいマグネット部が第３支持部で支持されるので、支持機構は、スピーカーをより安定的に支持することができる。また、第３支持部は、第１支持部及び第２支持部とは異なり、略鉛直な方向にスピーカーを支持するので、スピーカーをより確実に固定することができる。
【００１１】
前記支持部材は、前記スピーカーを包囲する構成でもよい。これにより、スピーカーが発する音の質の低下が抑制される。
【図面の簡単な説明】
【００１２】
【図１】本実施形態に係るプロジェクターの外観の一例を示す図である。
【図２】本実施形態に係るプロジェクターの一部を示す図である。
【図３】本実施形態に係るプロジェクターの一部を示す図である。
【図４】本実施形態に係るスピーカー及び支持機構の一例を示す図である。
【図５】本実施形態に係るスピーカー及び支持機構の一例を示す図である。
【図６】本実施形態に係る支持機構の一例を示す図である。
【図７】本実施形態に係るスピーカーと狭装部材との関係を示す図である。
【図８】本実施形態に係るスピーカーと狭装部材との関係を示す図である。
【図９】本実施形態に係るスピーカーと狭装部材との関係を示す図である。
【図１０】本実施形態に係るプロジェクターの一例を示す図である。
【発明を実施するための形態】
【００１３】
以下、本発明の実施形態について図面を参照しながら説明するが、本発明はこれに限定されない。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。
【００１４】
図１は、本実施形態に係るプロジェクター１の外観を示す斜視図である。図１において、プロジェクター１は、内部空間ＳＰを有する外装ケース２と、少なくとも一部が外装ケース２の内部空間ＳＰに配置される投射光学系３と、外装ケース２の内部空間ＳＰに配置されるスピーカー４とを備えている。本実施形態において、外装ケース２は、外装ケース本体２Ａと、外装ケース本体２Ａの開口２ＡＫを覆うように配置されるカバー部材２Ｂとを含む。また、外装ケース２は、内部空間ＳＰに配置された投射光学系３の射出面３Ｓが露出する開口２Ｈを有する。また、外装ケース２は、スピーカー４が対向する位置に複数の孔２Ｊを有する。
【００１５】
図２は、外装ケース本体２Ａを＋Ｚ側から見た図の一例を示す。図３は、カバー部材２Ｂを−Ｚ側から見た図の一例を示す。図２は、外装ケース本体２からカバー部材２Ｂが外され、開口２ＡＫ側から外装ケース本体２Ａの内部を見た図の一例である。図３は、内部空間ＳＰに面するカバー部材２Ｂの内面の一例を示す図である。
【００１６】
図２及び図３において、プロジェクター１は、内部空間ＳＰに画像形成系６、画像形成系６からの光を投射する投射光学系３を含む光学ユニットＵ、スピーカー４、スピーカー４を支持する支持機構５、及び図示しない電源ユニット、冷却ファン、制御ユニット等を備える。
【００１７】
図４は、スピーカー４を支持する支持機構５の一例を示すＸＺ平面と平行な断面図、図５は、ＸＹ平面と平行な断面図である。図６は、ハウジング本体２Ａが有する第１部材５１を示す斜視図である。図７、図８、及び図９は、スピーカー４と狭装部材５２との関係の一例を示す図である。図７は、スピーカー４を−Ｘ側から見た図、図８は、スピーカー４を−Ｙ側から見た図、図９は、スピーカー４を＋Ｚ側から見た図である。
【００１８】
図４及び図５において、支持機構５は、支持部材５１と、支持部材５１とスピーカー４の少なくとも一部との間に配置される狭装部材５２とを有する。
【００１９】
本実施形態において、支持部材５１は、外装ケース２の内部に一体形成されている。また支持部材５１は、例えば合成樹脂製であり、実質的に剛体である。
【００２０】
狭装部材５２は、支持部材よりも柔らかい軟性の部材で形成されている。本実施形態においては、狭装部材５２として、いわゆる低反発素材を用いており、具体的には商品名ＮａｎＮｅｘ（イノアックコーポレーション製）ＴＬ−４４０１を用いる。狭装部材５２としては、他にゴム、エラストマー等の弾性部材や可撓性部材を含んで形成されていてもよい。
【００２１】
なお、本実施形態において、狭装部材５２の全体が軟性の部材でなくてもよい。狭装部材５２の少なくとも一部が軟性の部材であれば、一部は剛体でもよい。
【００２２】
本実施形態において、支持機構５は、スピーカー４が支持部材５１に接触しないように、そのスピーカー４を支持する。すなわち、本実施形態においては、スピーカー４は、支持機構５の狭装部材５２に接触するものの、支持部材５１には接触しない。
【００２３】
本実施形態において、スピーカー４は、フレーム部４１と、マグネット部４２とを有する。フレーム部４１は、一部がフランジ形状となっている。また、フレーム部４１の少なくとも一部は、プレート形状である。支持機構５は、フレーム部４１の表面がＹＺ平面とほぼ平行になるように、スピーカー４を支持する。本実施形態において、フレーム部４１の表面は、孔２Ｊと対向するスピーカー４の表面４Ｓを含む。
【００２４】
本実施形態において、狭装部材５２は、フレーム部４１に２つ配置され、スピーカー４の表面４Ｓの中心に対して＋Ｙ側におけるフレーム部４１の第１の位置ＰＪ１、及び−Ｙ側におけるフレーム部４１の第２の位置ＰＪ２に配置される。また、狭装部材５２は、マグネット部４２にも配置される。
【００２５】
以下の説明において、フレーム部４１の第１の位置ＰＪ１に配置される狭装部材５２を適宜、狭装部材５２Ａ、と称し、フレーム部４１の第２の位置ＰＪ２に配置される狭装部材５２を適宜、狭装部材５２Ｂ、と称し、マグネット部４２に配置される狭装部材５２を適宜、狭装部材５２Ｃ、と称する。
【００２６】
本実施形態において、狭装部材５２Ａと狭装部材５２Ｂとはほぼ同じ外形（大きさ、寸法）である。本実施形態において、Ｚ軸方向に関する狭装部材５２Ａの位置と狭装部材５２Ｂの位置とはほぼ等しい。
【００２７】
図７及び図９に示すように、狭装部材５２Ａは、＋Ｘ側を向くフレーム部４１の表面４１Ａの一部に接触するとともに、−Ｘ側を向くフレーム部４１の表面４１Ｂの一部に接触するように配置される。狭装部材５２Ｂは、＋Ｘ側を向くフレーム部４１の表面４１Ａの一部に接触するとともに、−Ｘ側を向くフレーム部４１の表面４１Ｂの一部に接触するように配置される。狭装部材５２Ａ、５２Ｂは、屈曲された状態で配置される。屈曲された狭装部材５２Ａの一部が表面４１Ａと接触し、別の一部が表面４１Ｂと接触する。同様に、屈曲された狭装部材５２Ｂの一部が表面４１Ａと接触し、別の一部が表面４１Ｂと接触する。
【００２８】
図７及び図８に示すように、狭装部材５２Ｃは、−Ｘ側を向くマグネット部４２の裏面４２Ａの一部に接触するとともに、裏面４２Ａの周囲に配置される周面４２Ｂの一部に接触するように配置される。本実施形態において、狭装部材５２Ｃの一部は、裏面４２Ａに対して−Ｚ側の周面４２Ｂの第３の位置ＰＪ３に配置される。狭装部材５２Ｃは、屈曲された状態で配置され、一部が裏面４２Ａと接触し、別の一部が周面４２Ｂの一部と接触する。
【００２９】
図５及び図６に示すように、本実施形態において、支持部材５１は、第１支持部５１１と、第１支持部５１１の少なくとも一部と間隙を介して配置される第２支持部５１２とを含む。第１支持部５１１は、フレーム部４１の表面４１Ａが対向する位置に配置される。第２支持部５１２は、フレーム部４２の表面４１Ｂが対向する位置に配置される。また、フレーム部４１の表面４１Ａ、４１Ｂとほぼ平行なＹＺ平面において、第１支持部５１１と第２支持部５１２とは、水平方向（Ｙ軸方向）にずれた位置に配置される。本実施形態において、第１支持部５１１と第２支持部５１２とは、ＹＺ平面内において、お互いに遠ざかる方向にずれた位置に配置される。
【００３０】
本実施形態において、第１支持部５１１は、フレーム部４１の第１の位置ＰＪ１の表面４１Ａが対向可能な位置に配置される第１支持部５１１Ａと、フレーム部４１の第２の位置ＰＪ２の表面４１Ａが対向可能な位置に配置される第１支持部５１１Ｂとを含む。第２支持部５１２は、フレーム部４１の第１の位置ＰＪ１の表面４１Ｂが対向可能な位置に配置される第２支持部５１２Ａと、フレーム部４１の第２の位置ＰＪ２の表面４１Ｂが対向可能な位置に配置される第２支持部５１２Ｂとを含む。
【００３１】
本実施形態において、スピーカー４のフレーム部４１の少なくとも一部は、第１支持部５１１と第２支持部５１２との間に配置される。第１の位置ＰＪ１のフレーム部４１が、第１支持部５１１Ａと第２支持部５１２Ａとの間に配置される。第２の位置ＰＪ２のフレーム部４１が、第１支持部５１１Ｂと第２支持部５１２Ｂとの間に配置される。
【００３２】
狭装部材５２（５２Ａ、５２Ｂ）は、第１支持部５１１とフレーム部４１との間、及び第２支持部５１２とフレーム部４１との間に配置される。第１支持部５１１と第２支持部５１２とが、狭装部材５２及びフレーム部４１を挟んで支持する。
【００３３】
本実施形態においては、狭装部材５２Ａが、第１支持部５１１Ａとフレーム部４１の表面４１Ａとの間、及び第２支持部５１２Ａとフレーム部４１の表面４１Ｂとの間に配置される。狭装部材５２Ｂが、第１支持部５１１Ｂとフレーム部４１の表面４１Ａとの間、及び第２支持部５１２Ｂとフレーム部４１の表面４１Ｂとの間に配置される。第１の位置ＰＪ１のフレーム部４１は、狭装部材５２Ａを介して、第１支持部５１１Ａと第２支持部５１２Ａとに挟まれる。第２の位置ＰＪ２のフレーム部４１は、狭装部材５２Ｂを介して、第１支持部５１１Ｂと第２支持部５１２Ｂとに挟まれる。
【００３４】
本実施形態においては、第１支持部５１１Ａは、第２支持部５１２Ａよりも、スピーカー４の表面４Ｓの中心から遠い位置（＋Ｙ側）に配置される。第１支持部５１１Ｂは、第２支持部５１２Ｂよりも、スピーカー４の表面４Ｓの中心から遠い位置に（−Ｙ側）配置される。上述のように、狭装部材５２は、支持部材５１とスピーカー４との間で圧縮されるように狭装される。狭装時における狭装部材５２の圧縮の度合い（狭装部材５２の圧縮率）は、例えばその狭装部材５２の残留圧縮歪みを考慮して定めてもよい。本実施形態においては、狭装部材５２に対して力（圧縮力）が作用されていない状態の狭装部材５２の寸法（体積）を１とした場合、支持部材５１とスピーカー４との間において、その狭装部材５２の寸法（体積）が０．７５〜０．５程度になるように、狭装部材５２が圧縮される。換言すれば、支持部材５１とスピーカー４との間における狭装部材５２の圧縮率は、２５％〜５０％程度である。
【００３５】
また、図４及び図６に示すように、支持部材５１は、狭装部材５２Ｃを介してスピーカー４のマグネット部４２を支持する第３支持部５１３を含む。第３支持部５１３は、マグネット部４２の裏面４２Ａが対向するように配置され、水平方向（Ｘ軸方向）にスピーカー４を支持する第１支持面５１３Ａと、マグネット部４２の周面４２Ｂの第３の位置ＰＪ３が対向するように配置され、鉛直方向（Ｚ方向）にスピーカー４を支持する第２支持面５１３Ｂとを有する。狭装部材５２Ｃは、マグネット部４２と支持部材５１の第３支持部５１３とに挟まれる。マグネット部４２は、狭装部材５２Ｃを介して、第３支持部５１３に載置される。
【００３６】
図４に示すように、支持部材５１は、スピーカー４を包囲する。支持部材５１は、スピーカー４が配置される空間ＳＲを形成する。空間ＳＲは、外装ケース２が形成する内部空間ＳＰの一部の空間である。
【００３７】
本実施形態においては、外装ケース本体２Ａからカバー部材２Ｂが外された状態で、外装ケース本体２Ａが有する本体部５１Ａに、狭装部材５２を介してスピーカー４が設置される。すなわち、スピーカー４のマグネット部４２が狭装部材５２Ｃを介して支持部材５１の第３支持部５１３に載置されるとともに、スピーカー４のフレーム部４１が狭装部材５２Ａ、５２Ｂを介して支持部材５１の第１支持部５１１Ａ、５１１Ｂと第２支持部５１２Ａ、５１２Ｂとの間に挟まれるように配置される。その後、外装ケース本体２Ａとカバー部材２Ｂとが接合される。これにより、スピーカー４は、狭装部材５２を介して支持部材５１に支持されるとともに、支持部材５１の本体部５１Ａとカバー部５１Ｂとによって囲まれて固定される。スピーカー４は、支持部材５１の本体部５１Ａとカバー部５１Ｂとによって形成される空間ＳＲの内部に配置される。
【００３８】
図１０は、本実施形態に係る光学ユニットＵの一例を示す図である。図１０に示すように、本実施形態において、光学ユニットＵは、照明光学系２１と、色分離光学系２２と、リレー光学系２３と、液晶パネル２４１を含む画像形成系６と、色合成光学系２４４と、投射光学系３と、収容筐体２７とを備える。
【００３９】
照明光学系２１は、光源装置２１１と、第１レンズアレイ２１２と、第２レンズアレイ２１３と、偏光変換素子２１４と、重畳レンズ２１５とを備えている。
【００４０】
光源装置２１１は、光源ランプ（光源）２１６と、リフレクタ２１７とを有する。光源ランプ２１６は、例えばハロゲンランプを含む。リフレクタ２１７は、例えば放物面鏡を含む。光源ランプ２１６から射出された放射状の光は、リフレクタ２１７で反射する。リフレクタ２１７は、光源ランプ２１６からの光を平行光に変換する。
【００４１】
第１、第２レンズアレイ２１２、２１３はそれぞれ、例えばマトリクス状に配置された複数のマイクロレンズを含む。第２レンズアレイ２１３は、重畳レンズ２１５とともに、光源装置２１１からの光を均一化して、液晶パネル２４１を照明する。
【００４２】
偏光変換素子２１４は、第２レンズアレイ２１３と重畳レンズ２１５との間に配置される。偏光変換素子２１４は、第２レンズアレイ２１３からの光を一定方向の偏光光に変換する。偏光変換素子２１４からの光（偏光光）は、重畳レンズ２１５によって液晶パネル２４１重畳される。
【００４３】
色分離光学系２２は、２つのダイクロイックミラー２２１，２２２と、反射ミラー２２３とを有する。色分離光学系２２は、照明光学系２１からの光を、赤（Ｒ）、緑（Ｇ）、青（Ｂ）の３色の色光に分離する。以下の説明において、赤の色光を適宜、赤色光、と称し、緑の色光を適宜、緑色光、と称し、青の色光を適宜、青色光、と称する。
【００４４】
ダイクロイックミラー２２１は、照明光学系２１からの光のうち、赤色光成分及び緑色光成分を透過し、青色光成分を反射する。ダイクロイックミラー２２２は、ダイクロイックミラー２２１からの光のうち、赤色光成分を透過し、緑色光成分を反射する。反射ミラー２２３は、ダイクロイックミラー２２２からの光（赤色光）を反射する。
【００４５】
画像形成系６は、入射した光を画像情報に応じて変調して、合成する。画像形成系６は、色分離光学系２２からの各色光が入射する３つの入射側偏光板２４２と、各入射側偏光板２４２の後段に配置される３つの液晶パネル２４１（２４１Ｒ，２４１Ｇ，２４１Ｂ）と、各液晶パネル２４１の後段に配置される３つの射出側偏光板２４３と、色合成光学系２４４とを備えている。
【００４６】
入射側偏光板２４２は、色分離光学系２２からの各色光のうち、一定方向の偏光光のみ透過させ、その他の光を吸収する。 射出側偏光板２４３は、液晶パネル２４１からの光のうち、所定方向の偏光光のみ透過させ、その他の光を吸収する。入射側偏光板２４２と射出側偏光板２４３とは、互いの偏光軸の方向が直交するように配置される。
【００４７】
液晶パネル２４１は、赤色光用の液晶パネル２４１Ｒと、緑色光用の液晶パネル２４１Ｇと、青色光用の液晶パネル２４１Ｂとを含む。
【００４８】
色分離光学系２２からの青色光は、液晶パネル２４１Ｂに供給される。本実施形態においては、ダイクロイックミラー２２１で反射した青色光が、反射ミラー２２３で反射し、フィールドレンズ２１８及び入射側偏光板２４２を介して、液晶パネル２４１Ｂに入射する。
【００４９】
色分離光学系２２からの緑色光は、液晶パネル２４１Ｇに供給される。本実施形態においては、ダイクロイックミラー２２２で反射した緑色光が、フィールドレンズ２１８及び入射側偏光板２４２を介して、液晶パネル２４１Ｇに入射する。
【００５０】
色分離光学系２２からの赤色光は、液晶パネル２４１Ｒに供給される。本実施形態においては、ダイクロイックミラー２２２を透過した赤色光は、リレー光学系２３、フィールドレンズ２１８、及び入射側偏光板２４２を介して、液晶パネル２４１Ｒに入射する。なお、リレー光学系２３は、入射側レンズ２３１と、リレーレンズ２３３と、反射ミラー２３２，２３４とを有する。
【００５１】
色合成光学系２４４は、クロスダイクロイックプリズムを含み、射出側偏光板２４３から射出され、液晶パネル２４１Ｒ、２４１Ｂ、２４１Ｇによってそれぞれ変調された光を合成する。
【００５２】
投射光学系３は、色合成光学系２４４で合成された光を拡大してスクリーンに投射する。
【００５３】
収容筐体２７は、照明光学系２１、色分離光学系２２、リレー光学系２３、液晶パネル２４１を含む画像形成系６、色合成光学系２４４、及び投射光学系３を保持する。収容筐体２７は、照明光学系２１、色分離光学系２２、リレー光学系２３、液晶パネル２４１を含む画像形成系６、色合成光学系２４４、及び投射光学系３を収容する空間を形成する。収容筐体２７は、例えば合成樹脂製である。
【００５４】
本実施形態において、光学ユニットＵの少なくとも一部は、外装ケース２に支持される。なお、光学ユニットＵが、所定の支持部材を介して、外装ケース２に支持されてもよい。上述のように、本実施形態において、支持部材５１は、外装ケース２を含み、投射光学系３及び画像形成系６を含む光学ユニットＵを支持する。
【００５５】
次に、プロジェクター１の動作の一例について説明する。照明光学系２１の光源２１１から光が射出されると、その光は、色分離光学系２２に入射する。色分離光学系２２は、照明光学系２１からの光を、赤色光、青色光、及び緑色光に分離する。赤色光は、液晶パネル２４１Ｒに入射する。液晶パネル２４１Ｒは、赤色光に基づいて画像を形成する。緑色光は、液晶パネル２４１Ｇに入射する。液晶パネル２４１Ｇは、緑色光に基づいて画像を形成する。青色光は、液晶パネル２４１Ｂに入射する。液晶パネル２４１Ｂは、青色光に基づいて画像を形成する。液晶パネル２４１Ｒ、２４１Ｇ、２４１Ｂから射出された光は、色合成光学系２４４によって合成される。投射光学系３は、色合成光学系２４４からの光を投射する。
【００５６】
本実施形態においては、例えば投射光学系３から光が投射される期間の少なくとも一部において、スピーカー４が作動し、音を発する。換言すれば、画像形成系６が画像形成処理を実行している期間の少なくとも一部において、スピーカー４が作動し、音を発する。
【００５７】
本実施形態においては、スピーカー４と支持部材５１との間に、支持部材５１よりも柔らかい低反発素材を含む狭装部材５２を狭持するため、例えばスピーカー４が作動し、振動した場合でも、そのスピーカー４の振動が支持部材５１に伝わることが抑制される。
【００５８】
本実施形態において、狭装部材５２は、支持部材５１よりも、スピーカー４が発生する周波数領域における振動を抑制（吸収）する。本実施形態においては、狭装部材５２は、支持部材５１よりも、いわゆる可聴周波数領域（例えば２０Ｈｚ〜２００００Ｈｚ）における振動を抑制（吸収）する。また、本実施形態においては、その周波数領域における狭装部材５２の共振ピークは、支持部材５１の共振ピークよりも小さい。これにより、狭装部材５２は、スピーカー４の振動が支持部材５１に伝わることを抑制することができる。
【００５９】
また、本実施形態においては、支持機構５は、スピーカー４が支持部材５１（外装ケース２）との間に狭装部材５２が狭持されるように構成してスピーカー４を支持する。すなわち、支持機構５は、いわゆるフローティング構造を含み、スピーカーを支持部材から浮かせるように支持する。これにより、例えば投射光学系３から光が投射される期間の少なくとも一部において、スピーカー４が作動し、振動が発生しても、投射光学系３及び画像形成系６の一方又は両方を支持する支持部材５１（外装ケース２）に振動が伝わることが抑制される。これにより、スピーカー４の振動に起因する、投射光学系３から投射される画像に揺らぎの発生や、振動による騒音を抑制する。したがって、プロジェクター１の性能の低下を抑制することができる。
【００６０】
また、本実施形態においては、支持部材５１は、第１支持部５１１と、第１支持部５１１の少なくとも一部と間隙を介して対向して配置される第２支持部５１２とを含む。そして、スピーカー４のフレーム部４１の少なくとも一部が、第１支持部５１１と第２支持部５１２との間に配置され、狭装部材５２が、第１支持部５１１とフレーム部４１との間、及び第２支持部５１２とフレーム部４１との間に配置される。そして、第１支持部５１１と第２支持部５１２とが、狭装部材５２及びフレーム部４１を挟んで支持する。これにより、狭装部材５２を、支持部材５１の第１支持部５１１とスピーカー４のフレーム部４１との間、及び支持部材５１の第２支持部５１２とスピーカー４のフレーム部４１との間に安定的に狭持することができる。また、例えばネジ等、機械的な固定部材を用いなくても、狭装部材５２を安定して固定できる。
【００６１】
また、本実施形態においては、フレーム部４１は、プレート形状であり、フレーム部４１の表面４１Ａ（４１Ｂ）とほぼ平行なＹＺ面内において、第１支持部５１１と第２支持部５１２とはお互いに遠ざかる方向にずれた位置に配置される。これにより、第１支持部５１１と第２支持部５１２がそれぞれ狭装部材５２を狭持する位置がずれるので、狭装部材５２の全体に圧縮させる力をかけることができる。よって、狭装部材５２を安定して狭持することができる。
【００６２】
また、本実施形態においては、支持部材５１は、狭装部材５２を介してスピーカー４のマグネット部４２を支持する第３支持部５１３を含む。スピーカー４のうち最も重量の大きいマグネット部４２を支持する第３支持部５１３を含むので、支持機構５は、スピーカー４をより安定的に支持することができる。また、第３支持部５１３は、第１支持部５１１及び第２支持部５１２とは異なり、鉛直方向（Ｚ方向）にスピーカー４を支持するので、スピーカー４をより確実に固定することができる。
【００６３】
また、本実施形態においては、支持部材５１は、スピーカー４を包囲するように配置される。これにより、スピーカー４が発する音の質（音質）の低下が抑制される。
【００６４】
以上説明したように、本実施形態によれば、狭装部材５２を配置したことにより、プロジェクター１の性能の低下を抑制することができる。
【符号の説明】
【００６５】
１…プロジェクター、２…外装ケース、４…スピーカー、５…支持機構、４１…フレーム部、４２…マグネット部、５１…支持部材、５２…狭装部材、５１１…第１支持部、５１２…第２支持部、５１３…第３支持部
【図１】
2012215748.tif 000003
【図２】
2012215748.tif 000004
【図３】
2012215748.tif 000005
【図４】
2012215748.tif 000006
【図５】
2012215748.tif 000007
【図６】
2012215748.tif 000008
【図７】
2012215748.tif 000009
【図８】
2012215748.tif 000010
【図９】
2012215748.tif 000011
【図１０】
2012215748.tif 000012